(57)【特許請求の範囲】
【請求項１】
棚家具本体（１）を構成する側板若しくは中間仕切板の対向する内面に、前後複数列で縦方向に所定のピッチでだぼ穴（４，４）が配列され、前後複数列のだぼ穴（４，４）に挿入係合されただぼ杆を介して着脱自在に、上面若しくは前面に展示物が載置される棚部材（１０）が設けられた展示物収納展示用の棚家具において、
前記棚部材（１０）は、その棚板本体（１１）の前（若しくは下）縁部に設けられて上方に突出する受け片（１２）と、棚板本体（１１）上面の前後中間位置又は前後中間の複数位置の左右対向位置に着脱自在に設けられた係止具（１９，１９）と、左右の係止具（１９，１９）間に水平方向に架け渡されて前記展示物の表面を保持する展示物落下防止用バンド（２０）と、棚板本体（１１）の後部（若しくは上部）に設けられた左右一対のだぼ具（１３，１３）と、を有し、だぼ具（１３）は、棚板本体（１１）に左右方向に固定された外筒部（１４）と、外筒部（１４）の内部に左右方向に移動操作自在として挿入保持された移動だぼ杆（１５）と、を有し、外筒部（１４）の外壁には軸方向にスリット（１６）が形成され、スリット（１６）の軸方向に離れた二箇所には外側係合凹部（１６ａ）及び内側係合凹部（１６ｂ）がスリット（１６）と連通状略直角方向に形成され、移動だぼ杆（１５）の外壁に直角方向に固定して設けられた把手部（１７）が、スリット、外側係合凹部及び内側係合凹部内を移動して、移動だぼ杆（１５）が外筒部（１４）から突出する外側係合凹部（１６ａ）と移動だぼ杆（１５）が外筒部（１４）内に収納される内側係合凹部（１６ｂ）内において把手部（１７）が係合自在とされ、
移動だぼ杆（１５）の把手部（１７）が外側係合凹部（１６ａ）に内に係合した状態で、移動だぼ杆（１５）の棚板本体（１１）の左右側縁から突出する端部が、対向する左右の後列の前記だぼ穴（４）に挿入係合されることにより、棚板本体（１１）の後部（若しくは上部）の左右が前記棚家具本体（１）の内面に着脱自在に固定され、棚板本体（１１）の前部（若しくは下部）の左右が後列の前記だぼ穴の下方に位置する前列のだぼ穴（４）に挿入係合されたストッパーの外周に当接された状態で、前記棚家具本体（１）の内部に棚部材が棚部材の前部（若しくは下部）が前方に突出された傾斜方向に着脱自在に設けられていることを特徴とする棚家具。
【請求項２】
請求項１に記載の棚家具において、
前記だぼ具（１３）は、前記外筒部（１４）の閉鎖端部と前記移動だぼ杆（１５）の後端部との間に、移動だぼ杆（１５）の先端部を外筒部（１４）の開口部から突出する方向に付勢するコイルバネよりなるバネ材（１８）が設けられている棚家具。
【請求項３】
請求項１に記載の棚家具に用いられる棚部材において、
前記棚部材の本体をなす棚板本体の前縁部に設けられて上方に突出する受け片と、棚板本体上面の前後中間位置又は前後中間の複数位置の左右対向位置に着脱自在に設けられた係止具と、左右の係止具間に水平方向に架け渡されたバンドと、棚板本体の後部の背部又は表部に設けられた左右一対のだぼ具と、を有し、だぼ具は、棚板本体の背面又は表面に左右方向に固定され、外壁部に軸方向にスリットが形成された外筒部と、外筒部の内部に左右方向に移動操作自在として挿入保持され、端部が棚板本体の左右側縁から突出操作自在とされた移動だぼ杆であって、移動だぼ杆の外壁に直角方向に突出形成された把手部が前記スリットから突出して、把手部を介して左右方向に移動自在とされた移動だぼ杆と、外筒部（１４）の閉鎖端部と移動だぼ杆（１５）の後端部との間に設けられ、移動だぼ杆（１５）の先端部を外筒部（１４）の開口部から突出する方向に付勢するコイルバネよりなるバネ材（１８）と、を有し、スリットの軸方向に離れた二箇所には、外側係合凹部及び内側係合凹部がスリットと連通状略直角方向に形成され、移動だぼ杆が外筒部から突出した状態で把手部が外側係合凹部に係合自在とされ、移動だぼ杆が外筒部内に収納された状態で把手部が内側係合凹部に係合自在とされていることを特徴とする棚部材。
【発明の詳細な説明】
【技術分野】
【０００１】
本発明は、主として、書棚として用いられる棚家具、及び該棚家具内に着脱自在に設置される棚板としての棚部材に関する。本発明に係る棚家具は、書棚としてのみならず、ＣＤやＤＶＤ等のパッケージ類或いはリーフレット等の展示物の展示棚若しくは収納棚としても広く用いることができる。                                                    
【背景技術】
【０００２】
上記棚家具としては、多樣なサイズや種類の本類或いはＣＤやＤＶＤ等のディスクのパッケージ類を整理して展示収納でき、その展示収納状態が外部から容易に判別できる下記特許文献１又は２に記載のような棚家具がある。
特許文献１に記載の棚家具は、スライド書棚であって、間口の広い固定書棚の前部に、間口の狭い可動書棚を左右にスライド自在に設けた構造である。固定書棚と可動書棚に上記のような本類やパッケージ類を整理して展示収納できる。
また、特許文献２の棚家具は、家具本体の内部に、本立て形状の棚部材を設けた構造であって、棚部材内に、例えば、上記パッケージ類を整理して展示収納できる。
【先行技術文献】
【特許文献】
【０００３】
【特許文献１】特許第２８４６６２５号公報
【特許文献１】特許第４１５６６３５号公報
【発明の概要】
【発明が解決しようとする課題】
【０００４】
しかしながら、最近では、単行本や文庫本の他、正面のサイズが大きい本、週刊誌のような背文字の無い本等、さらに多種多樣な本類、パンフレット又はポスター等の印刷物或いはカードやパッケージ類の展示物を整理して収納でき、且つ見やすい状態で展示できる家庭用又は業務用の棚家具が求められている。
【０００５】
そこで本発明は、上記課題を解決するために、棚家具内に設けられる棚部材を、通常の棚板としての機能を有しながら、垂直状態や傾斜状態など、多樣な使用態様と展示状態を可能とした棚家具を提供することを目的としている。
さらに本発明では、棚家具の奥行きに関係なく、大きなサイズの本等多種多樣な印刷物或いはカードやパッケージ類などを整理して展示収納できるとともに、掲示板的な利用も可能とした棚家具を提供することを目的としている。
さらに本発明では、強い揺れなどでも棚部材及び展示物が滑落することのない、耐震性に優れた棚家具及び棚部材を提供することを目的としている。
【課題を解決するための手段】
【０００６】
次に、上記の課題を解決するための手段を、実施の形態に対応する図面を参照して説明する。
【０００７】
本発明では、棚家具本体１を構成する側板２若しくは中間仕切板３の対向する内面に、縦方向に所定のピッチでだぼ穴４が配列され、だぼ穴４に挿入係合されただぼ杆を介して着脱自在に棚部材１０が設けられた棚家具において、
前記棚部材１０は、その棚板本体１１の前（若しくは下）縁部に設けられて上方に突出する受け片１２と、棚板本体１１の後部（若しくは上部）に設けられた左右一対のだぼ具１３，１３と、を有し、だぼ具１３は、棚板本体１１の背面に左右方向に固定された外筒部１４と、外筒部１４の内部に左右方向に移動操作自在として挿入保持された移動だぼ杆１５と、を有している。
移動だぼ杆１５の棚板本体１１の左右側縁から突出する端部が、対向する左右の前記だぼ穴４に挿入係合されることにより、棚部材１０の後部（若しくは上部）の左右が前記棚家具本体１の内面に着脱自在に固定された状態で、前記棚家具本体１の内部に前記棚部材１０が着脱自在に設けられている。
【０００８】
請求項１に記載の本発明では、
棚家具本体（１）を構成する側板若しくは中間仕切板の対向する内面に、前後複数列で縦方向に所定のピッチでだぼ穴（４，４）が配列され、前後複数列のだぼ穴（４，４）に挿入係合されただぼ杆を介して着脱自在に、上面若しくは前面に展示物が載置される棚部材（１０）が設けられた展示物収納展示用の棚家具において、
前記棚部材（１０）は、その棚板本体（１１）の前（若しくは下）縁部に設けられて上方に突出する受け片（１２）と、棚板本体（１１）上面の前後中間位置又は前後中間の複数位置の左右対向位置に着脱自在に設けられた係止具（１９，１９）と、左右の係止具（１９，１９）間に水平方向に架け渡されて前記展示物の表面を保持する展示物落下防止用バンド（２０）と、棚板本体（１１）の後部（若しくは上部）に設けられた左右一対のだぼ具（１３，１３）と、を有し、だぼ具（１３）は、棚板本体（１１）に左右方向に固定された外筒部（１４）と、外筒部（１４）の内部に左右方向に移動操作自在として挿入保持された移動だぼ杆（１５）と、を有し、外筒部（１４）の外壁には軸方向にスリット（１６）が形成され、スリット（１６）の軸方向に離れた二箇所には外側係合凹部（１６ａ）及び内側係合凹部（１６ｂ）がスリット（１６）と連通状略直角方向に形成され、移動だぼ杆（１５）の外壁に直角方向に固定して設けられた把手部（１７）が、スリット、外側係合凹部及び内側係合凹部内を移動して、移動だぼ杆（１５）が外筒部（１４）から突出する外側係合凹部（１６ａ）と移動だぼ杆（１５）が外筒部（１４）内に収納される内側係合凹部（１６ｂ）内において把手部（１７）が係合自在とされ、
移動だぼ杆（１５）の把手部（１７）が外側係合凹部（１６ａ）に内に係合した状態で、移動だぼ杆（１５）の棚板本体（１１）の左右側縁から突出する端部が、対向する左右の後列の前記だぼ穴（４）に挿入係合されることにより、棚板本体（１１）の後部（若しくは上部）の左右が前記棚家具本体（１）の内面に着脱自在に固定され、棚板本体（１１）の前部（若しくは下部）の左右が後列の前記だぼ穴の下方に位置する前列のだぼ穴（４）に挿入係合されたストッパーの外周に当接された状態で、前記棚家具本体（１）の内部に棚部材が棚部材の前部（若しくは下部）が前方に突出された傾斜方向に着脱自在に設けられていることを特徴とする棚家具である。
請求項２に記載の本発明では、請求項１に記載の棚家具において、
前記だぼ具（１３）は、前記外筒部（１４）の閉鎖端部と前記移動だぼ杆（１５）の後端部との間に、移動だぼ杆（１５）の先端部を外筒部（１４）の開口部から突出する方向に付勢するコイルバネよりなるバネ材（１８）が設けられている棚家具である。
本発明では、前記棚部材１０は、前記移動だぼ杆１５の棚板本体１１の左右側縁から突出する端部が、対向する左右の前記だぼ穴４に挿入係合されることにより、棚部材１０の後部（若しくは上部）の左右が前記棚家具本体の内面に着脱自在に固定された状態で、略水平方向、略垂直方向又は棚部材を構成する棚板本体の前部（若しくは下部）が前方に突出された傾斜方向に設定自在とされている。
だぼ具１３は、棚板本体１１の背面に設けられるが、上面に設けられていてもよい。
請求項２に記載の棚家具において、
前記だぼ具（１３）は、前記外筒部（１４）の閉鎖端部と前記移動だぼ杆（１５）の後端部との間に、移動だぼ杆（１５）の先端部を外筒部（１４）の開口部から突出する方向に付勢するコイルバネよりなるバネ材（１８）が設けられている棚家具。
棚家具本体（１）を構成する側板若しくは中間仕切板の対向する内面に、前後複数列で縦方向に所定のピッチでだぼ穴（４，４）が配列され、前後複数列のだぼ穴（４，４）に挿入係合されただぼ杆を介して着脱自在に棚部材（１０）が設けられた棚家具において、  前記棚部材（１０）は、その棚板本体（１１）の前（若しくは下）縁部に設けられて上方に突出する受け片（１２）と、棚板本体（１１）上面の前後中間位置又は前後中間の複数位置の左右対向位置に着脱自在に設けられた係止具（１９，１９）と、左右の係止具（１９，１９）間に水平方向に架け渡されたバント（２０）と、棚板本体（１１）の後部（若しくは上部）に設けられた左右一対のだぼ具（１３，１３）と、を有し、だぼ具（１３）は、棚板本体（１１）に左右方向に固定された外筒部（１４）と、外筒部（１４）の内部に左右方向に移動操作自在として挿入保持された移動だぼ杆（１５）と、を有し、外筒部（１４）の外壁には軸方向にスリット（１６）が形成され、スリット（１６）の軸方向に離れた二箇所には外側係合凹部（１６ａ）及び内側係合凹部（１６ｂ）がスリット（１６）と連通状略直角方向に形成され、移動だぼ杆（１５）の外壁に直角方向に固定して設けられた把手部（１７）がスリット（１６）及び係合凹部内を移動して、移動だぼ杆（１５）が外筒部（１４）から突出する外側係合凹部（１６ａ）と移動だぼ杆（１５）が外筒部（１４）内に収納される内側係合凹部（１６ｂ）内において係合自在とされ、
移動だぼ杆（１５）の把手部（１７）が外側係合凹部（１６ａ）に内に係合した状態で、移動だぼ杆（１５）の棚板本体（１１）の左右側縁から突出する端部が、対向する左右の後列の前記だぼ穴（４）に挿入係合されることにより、棚板本体（１１）の後部（若しくは上部）の左右が前記棚家具本体（１）の内面に着脱自在に固定され、棚板本体（１１）の前部（若しくは下部）の左右が後列の前記だぼ穴の下方に位置する前列のだぼ穴（４）に挿入係合されたストッパーの外周に当接された状態で、前記棚家具本体（１）の内部に棚部材が棚部材の前部（若しくは下部）が前方に突出された傾斜方向に着脱自在に設けられていることを特徴とする棚家具である。
請求項２に記載の本発明では、請求項１に記載の棚家具において、
前記だぼ具（１３）は、前記外筒部（１４）の閉鎖端部と前記移動だぼ杆（１５）の後端部との間に、移動だぼ杆（１５）の先端部を外筒部（１４）の開口部から突出する方向に付勢するコイルバネよりなるバネ材（１８）が設けられている棚家具である。
本発明では、前記棚部材１０は、前記移動だぼ杆１５の棚板本体１１の左右側縁から突出する端部が、対向する左右の前記だぼ穴４に挿入係合されることにより、棚部材１０の後部（若しくは上部）の左右が前記棚家具本体の内面に着脱自在に固定された状態で、略水平方向、略垂直方向又は棚部材を構成する棚板本体の前部（若しくは下部）が前方に突出された傾斜方向に設定自在とされている。
だぼ具１３は、棚板本体１１の背面に設けられるが、上面に設けられていてもよい。
【０００９】
上記棚部材１０は、棚板本体１１に固定しただぼ具１３左右のだぼ杆１５を左右方向に移動操作させて、左右のだぼ穴４に係脱させることにより、棚家具本体１に対して着脱自在に設ける。だぼ杆１５の突出状態とした端部を、左右のだぼ穴４に挿入係合させることにより、棚板本体１１を通常の水平な使用状態から、だぼ杆１５を中心として下方に回動させることにより、略垂直状態及び後述する傾斜状態での使用が可能である。垂直状態及び傾斜状態での使用では、受け片１２上に本やリーフレット等の展示物を載置して収納展示するが、その表紙面が正面となり、展示物の視認が容易となる。さらに、棚家具本体の奥行きに関係なく、大きなサイズの本やリーフレット等の展示物を受け片１２上に載置して収納させることができる。
【００１０】
本発明では、前記棚板本体１１の前部（若しくは下部）の背部が、前記移動だぼ杆１５が挿入係合されただぼ穴４の下方のだぼ穴４に挿入固定されたストッパーとしての固定だぼ杆５の外周に当接された状態で、前記棚家具本体１の内部に前記棚部材１０が着脱自在に設けられている。
【００１１】
上記棚部材１０は、略垂直状態で設けられるが、棚板本体１１の前部（若しくは下部）の背面は、下方の固定だぼ杆５の外周に当接され、上方の移動だぼ杆１５の中心軸よりもだぼ穴４の半径分の長さ前方に傾くことになり、受け片１２上に載置される展示品の上部が後方に傾斜し、その載置状態が安定する。
上記棚部材１０は、棚家具本体１内の前方、中間又は後方に設けただぼ穴４列を介して設けられる。前方のだぼ列４を介して設けられた棚部材１０は、展示物に掲示板的な機能を持たせることができ、棚部材１０の後方の棚家具本体１内には、別の棚板を設けて、本やパンフレットなどの収納品の収納空間とすることができる。
上記棚部材１０を前方のだぼ穴４列を介して略垂直方向として設けることにより、棚部材１０に扉としての機能を持たせることができる。前方の棚部材１０の表面を展示収納物の展示面とし、その背部の棚家具本体１の内部を収納部とした収納家具とすることができる。
【００１２】
本発明の棚家具は、前記だぼ穴４は、前後複数列で縦方向に所定のピッチで配列され、前記棚部材１０の前記棚板本体１１の後部の左右は、前記移動だぼ杆１５の突出端部が後列のだぼ穴４に挿入係合されることにより着脱自在に固定され、前記棚部材１０の前記棚板本体１１の前部の左右は、前列のだぼ穴４に挿入固定されたストッパーとしての固定だぼ杆５の外周に当接された状態で設けられている。
【００１３】
本発明では、前記棚部材１０の前記棚板本体１１の前部の左右は、前記後列のだぼ穴４の位置と水平位置にある前列のだぼ穴４に挿入係合されたストッパーの外周に当接された状態で設けられている。
この構成では、棚部材１０は略水平に配置され、通常の棚板と同様に機能することができる。
【００１４】
本発明では、前記棚部材１０の前記棚板本体１１の前部の左右は、前記後列のだぼ穴４の位置よりも下方の位置にある前列のだぼ穴４に挿入係合されたストッパーの外周に当接された状態で設けられていることを特徴とする。
この構成では、棚部材１０は前端が前方に突出した傾斜棚とされる。
【００１５】
上記棚部材１０は、前後略同等高さ位置にあるだぼ穴４，４に設けた固定だぼ杆５及び移動だぼ杆１５を介して設置させることにより、通常の水平状態での棚板使用とすることができる。また、後列の移動だぼ杆１５の位置を、前列の固定だぼ杆５の位置よりも高い位置とすることにより、傾斜状態で使用することができる。
棚部材１０は、その左右幅と前後幅が相違する複数種類の棚部材を使用することにより、収納展示物に応じた種々の使用状態が可能となる。
【００１６】
本発明は、上記の棚家具に用いられる棚部材１０において、棚部材１０の本体をなす棚板本体１１の前縁部に設けられて上方に突出する受け片１２と、棚板本体１１の後部の背部に設けられた左右一対のだぼ具１３と、を有し、だぼ具１３は、棚板本体１１の背面に左右方向に固定され、外壁部に軸方向にスリット１６が形成された外筒部１４と、外筒部１４の内部に左右方向に移動操作自在として挿入保持され、端部が棚板本体１１の左右側縁から突出操作自在とされた移動だぼ杆１５であって、移動だぼ杆１５に突出形成された把手部１７が前記スリット１６から突出し、把手部１７を介して左右方向に移動操作自在とされた移動だぼ杆１５と、を有することを特徴とする棚部材１０である。
【００１７】
上記棚部材１０は、その移動だぼ杆１５の端部を、上記棚家具本体１内のだぼ穴４に挿入係合することにより、棚板本体１１を通常の水平な使用状態、略垂直状態及び傾斜状態で使用することができる。
棚部材１０は、棚家具本体とは別売りの部品又は附属品として供給できる。棚部材１０を棚家具本体の上部又は下部に収納することにより、必要に応じて取り出して使用することができる。
【００１８】
本発明の棚部材は、前記棚板本体１１上面の前後中間部の前後複数位置の左右には、係止具１９，１９が着脱自在に設けられ、左右の係止具１９，１９間には、バンド２０が架け渡されて設けられている。
【００１９】
上記棚部材１０は、棚部材１０を棚家具本体１内で上記略垂直状態及び傾斜状態で使用した時に、棚板本体１１上面に展示されたリーフレットのような薄型の展示物がバンド２０に保持されることにより落下しない。左右の係止具１９，１９及びバンド２０は、前後一本であっても、二本平行であってもよく、展示物の大きさと紙質に応じて適宜選択できる。
【発明の効果】
【００２０】
本発明に係る棚家具によれば、棚板本体の後部（若しくは上部）の背部に設けられた左右一対のだぼ具は、棚板本体に左右方向に固定された外筒部と、外筒部の内部に左右方向に移動操作自在として挿入保持された移動だぼ杆と、を有し、移動だぼ杆の左右側縁から突出する端部が、対向する左右のだぼ穴に挿入係合されることにより、棚部材の後部（若しくは上部）の左右が前記棚家具本体の内面に着脱自在に固定される。従って、棚板本体を通常の水平な収納使用状態から、移動だぼ杆を中心として下方に回動させることにより、略垂直状態及び傾斜状態での使用が可能となり、多樣な使い方を選べる効果がある。
本発明の棚家具及び棚部材では、棚板本体の後部（若しくは上部）の背部に設けられた左右一対のだぼ具（１３）は、棚板本体（１１）に左右方向に固定された外筒部（１４）と、外筒部（１４）の内部に左右方向に移動操作自在として挿入保持された上記移動だぼ杆（１５）と、を有し、外筒部（１４）の外壁には軸方向にスリット（１６）が形成され、スリット（１６）の軸方向に離れた二箇所には外側係合凹部（１６ａ）及び内側係合凹部（１６ｂ）がスリット（１６）と連通状略直角方向に形成され、移動だぼ杆（１５）の外壁に直角方向に固定して設けられた把手部（１７）がスリット（１６）及び係合凹部内を移動して、移動だぼ杆（１５）が外筒部（１４）から突出する外側係合凹部（１６ａ）と移動だぼ杆（１５）が外筒部（１４）内に収納される内側係合凹部（１６ｂ）内において、移動だぼ杆（１５）に固定される把手部（１７）が係合自在とされている。
これにより、本発明では、棚板本体を傾斜状態で設置した時に、棚板本体の後部（若しくは上部）の係合固定状態が安定し、振動や棚板の着脱調整作業時などに、棚板本体が脱落するなどの事故を防止できる、安全性に優れている。
本発明の前記だぼ具（１３）は、前記外筒部（１４）の閉鎖端部と前記移動だぼ杆（１５）の後端部との間に、移動だぼ杆（１５）の先端部を外筒部（１４）の開口部から突出する方向に付勢するコイルバネよりなるバネ材（１８）が設けられており、自然状態において、移動だぼ杆の先端がバネ付勢により、常に棚板本体の外側から突出しているところから、棚板本体の後部（若しくは上部）の両側又は一側の家具本体内壁への係合の不備による脱落が防止され、安全性に優れている。
【００２１】
また、棚板本体の後部（若しくは上部）が移動だぼ杆端部のだぼ穴への挿入係合操作により着脱できることから、棚板本体の着脱が可能であって、その設置位置を上下のみならず左右に可変とすることができる。その場合、棚板本体は移動だぼ杆端部のだぼ穴への挿入係合により棚家具本体内壁に結合されており、強い揺れなどでも棚板本体が滑落するということがなく耐震性に優れている。
【００２２】
本発明では、回動して取り付けられる上記棚板本体及び大きさの異なる通常の水平仕様の棚板との、上下、前後若しくは左右の組み合わせが可能となる。
【００２３】
本発明では、略垂直方向、略水平方向又は傾斜方向での棚板本体の使用が可能となる。これにより、本の幅が広く、棚板の奥行き方向の収納には制限があり、収納不可能であった書籍類が棚板本体の前面において正面向きに展示することが可能となる。部屋の装飾として好みの本やＣＤ，ＤＶＤカードなどの正面を見せるレイアウト表示も可能である。
【００２４】
略垂直方向での棚板本体の使用では、棚板本体を棚家具の扉として用いることができ、棚板本体の奥の空間を収納物の収納空間とすることができる。
【００２５】
傾斜方向での棚板本体の使用では、収納物の受け片上での座置を安定させることが可能となる。
棚板本体の前部（下部）の裏面が当接載置される固定だぼ杆のだぼ穴の位置を上下に調整させることにより、棚板本体の傾斜角度を随意で設定することができる。
【００２６】
本発明に係る棚部材は、その移動だぼ杆の端部を、棚家具本体内のだぼ穴に挿入係合することにより、棚板本体を通常の水平な使用状態、略垂直状態及び傾斜状態で使用することができ、本発明に係る棚家具に適応させることができる。
本発明の棚部材は、棚家具本体とは別売りの部品又は附属品としても供給できる。
【００２７】
本発明では、棚部材を棚家具本体内で略垂直状態及び傾斜状態で使用した時に、棚板本体上面に展示されたリーフレットのような薄型の展示物がバンドに保持されることにより落下しない。左右の係止具及びバンドは、前後一本であっても、二本平行であってもよく、展示物の大きさと紙質及び厚さに応じて適宜選択できる。
【図面の簡単な説明】
【００２８】
【図１】本発明に係る実施形態１の棚家具の正面図（Ａ）及び内部を透視的に示した側面図（Ｂ）である。
【図２】同棚板部材の正面図（Ａ）、側面図（Ｂ）及び平面図（Ｃ）である。
【図３】同棚板部材の表側から見た斜視図（Ａ）及び一部を分解して示す裏側から見た斜視図（Ｂ）である。
【図４】本発明に係る実施形態２の棚家具の正面図（Ａ）、内部を透視的に示した側面図（Ｂ）及び内部を透視的に示した平面図（Ｃ）である。
【図５】本発明に係る実施形態３の棚家具の正面図（Ａ）、内部を透視的に示した側面図（Ｂ）である。
【図６】本発明に係る実施形態４の棚家具の正面図（Ａ）、内部を透視的に示した側面図（Ｂ）、使用する大幅と小幅の棚板部材の側面図（Ｃ）である。
【発明を実施するための形態】
【００２９】
（実施形態１）
以下、図１乃至図３を参照して、本発明の実施形態１に係る棚家具を説明する。
【００３０】
実施形態１に係る棚家具は、棚家具本体１の内部の左右に一方及び他方の棚空間があり、棚家具本体１を構成する左右の側板２及び中間仕切板３の対向する内面に、縦方向に所定のピッチでだぼ穴４が配列されている。この実施形態１では、一方及び他方の棚空間のそれぞれに、だぼ穴４が、後側２列、前側２列、合計４列縦方向に所定ピッチで配列されている。
【００３１】
一方の棚空間には、棚部材１０が水平に配置され、他方の棚空間には、棚部材１０が下方を突出させた傾斜状に設けられている。両棚部材１０は、着脱自在、且つその傾斜角度を、水平方向、下方を突出させた傾斜方向、又は、略垂直方向に、着脱自在、且つ角度可変調整自在に設けられている。
【００３２】
上記棚部材１０は、その棚板本体１１の前（若しくは下）縁部に設けられて上方に突出する受け片１２と、棚板本体１１の後部（若しくは上部）の背部に設けられた左右一対のだぼ具１３，１３と、を有している。
【００３３】
だぼ具１３は、棚板本体１１の背面に左右方向に固定された外筒部１４と、外筒部１４の内部に左右方向に移動操作自在として挿入保持された移動だぼ杆１５と、を有している。外筒部１４は、図３（Ｂ）に示されるように、後端部が閉鎖された筒型であり、その外壁部に軸方向にスリット１６が形成されている。外筒部１４の外壁には、取付片部２１が一体的に突出し、取付片部２１に設けた取付孔を介して、ねじなどの固定具２２により、棚板本体１１に取付固定される。移動だぼ杆１５の外壁には把手部１７が直角方向に固定して設けられ、把手部１７は外筒部１４のスリット１６から突出している。スリット１６の内壁の軸方向の後部と前部の二カ所には、係合凹部１６ａ，１６ｂが形成されている。後部の係合凹部１６ａには、移動だぼ杆１５の端部が外筒部１４内に位置した時に、把手部１７を回動操作して係合させるようにし、前部の係合凹部１６ｂには、移動だぼ杆１５の端部が外筒部１４から突出した時に、把手部１７を回動操作して係合する。外筒部１４の閉鎖後端部と移動だぼ杆１５の後端部との間には、移動だぼ杆１５を突出方向に付勢するコイルバネよりなるバネ材１８が設けられている。
【００３４】
棚板本体１１上面の前後中間部の前後複数位置の左右には、フック型の係止具１９，１９が着脱自在に設けられ、左右の係止具１９，１９間には、バンド２０が架け渡されて設けられている。
左右の係止具１９，１９及びバンド２０は、一本であっても、複数本例えば二本平行であってもよく、展示物の大きさと紙質に応じて適宜選択できる。
【００３５】
上記実施形態１に係る棚家具では、棚部材１０の棚板本体１１に固定しただぼ具１３左右の移動だぼ杆１５を、把手部１７により左右方向に移動操作させて、その突出端部を棚家具本体１内の左右のだぼ穴４に係脱させることにより、棚部材１０の後部（若しくは上部）を棚家具本体１に対して着脱自在に設ける。棚部材１０の棚板本体１１の前部（若しくは下部）の左右は、前列のだぼ穴４に挿入固定された固定だぼ杆５の外周に当接された状態で設けられている。前列のだぼ穴４に挿入固定される固定だぼ杆５の位置を上下に移動調整することにより、棚部材１０の傾斜角度を調整させることができる。
【００３６】
棚家具本体１の一方の棚空間には、棚部材１０が水平に配置されている。この水平方向の棚部材１０の後部左右は、上記だぼ具１３左右の移動だぼ杆１５が棚家具本体１内の左右に対向するだぼ穴４に係脱自在に挿入係合し、棚部材１０の棚板本体１１前部の底面左右は、上記後部のだぼ穴と水平前方位置にある、前列のだぼ穴４に挿入固定された固定だぼ杆５の外周に当接載置されている。
【００３７】
この水平方向の棚部材１０は、通常の本棚として使用できる。前縁の上方に受け片１２が突出し載置物の落下を防止するところから、花瓶など本以外の物品を載置し、飾り棚的に利用することもできる。
【００３８】
棚家具本体１の他方の棚空間には、棚部材１０が前部（下部）を前方に突出させた傾斜状に設けられている。棚部材１０の棚板本体１１の後部の左右は、移動だぼ杆１５の突出端部が後列のだぼ穴４に挿入係合されることにより着脱自在に固定され、棚部材１０の前記棚板本体１１の前部の左右は、後列のだぼ穴４よりも下方に位置する前列のだぼ穴４に挿入固定された固定だぼ杆５の外周に当接された状態で設けられている。
【００３９】
この傾斜方向の棚部材１０の棚板本体１１には、本の幅が広く、棚板の奥行き方向には収納困難であった大きなサイズの本やリーフレット等の展示物を棚板本体１１の前面において正面向きに収納することが可能となる。また、この傾斜棚板本体１１上面の前後中間位置には、左右の係止具１９，１９間にバンド２０が架け渡されて設けられている。このバンド２０により、傾斜上面の上記展示物の落下が防止される。
【００４０】
（実施形態２）
図４を参照して、本発明の実施形態２に係る棚家具を説明する。
【００４１】
実施形態２の棚家具は、スライド書棚である。このスライド書棚としての棚家具本体１０１は、その天板と底板との間の棚空間の後方を固定棚１０２とし、該棚空間の前方の左右に、一方及び他方の可動棚１０３が設けられている。可動棚１０３は、固定棚１０２の前方において、左右に移動する。
【００４２】
一方の可動棚１０３内には、傾斜方向に棚部材１０が設けられている。また、他方の可動棚１０３内には、後方のだぼ穴４列を介して、略垂直方向に棚部材１０が設けられている。
【００４３】
（実施形態３）
図５を参照して、本発明の実施形態３に係る棚家具を説明する。
【００４４】
実施形態３の棚家具では、棚家具本体１内の、一方の棚空間は、その前列のだぼ穴４を介して、複数枚（３枚）の棚部材１０が、棚空間の前面を閉鎖するように、縦方向に連続して設けられている。他方の棚空間は、複数枚（２枚）の棚部材１０が、水平方向に上下間隔を置いて設けられている。
【００４５】
上記一方の棚空間では、複数枚（３枚）の棚部材１０が扉としての機能を有し、その表面を展示面とし、背部を収納空間としている。また、他方の棚空間では、複数枚（２枚）の棚部材１０が、通常の棚板としての機能を有している。
【００４６】
（実施形態４）
図６を参照して、本発明の実施形態４に係る棚家具を説明する。
【００４７】
実施形態４の棚家具では、棚家具本体１内の、一方の棚空間は、その前列の中間部分のだぼ穴４を介して、複数枚（２枚）の大幅の棚部材１０が、棚空間の前面を閉鎖するように、縦方向に連続して設けられている。
他方の棚空間は、その下部の前列のだぼ穴４を介して、複数枚（２枚）の小幅の棚部材１０が、棚空間の前面を閉鎖するように、縦方向に連続して設けられている。他方の棚空間の上部には、傾斜方向に、複数枚（２枚）の大幅の棚部材１０が傾斜方向に前後に設けられ、他方の棚空間の下部には、１枚の大幅の棚部材１０が水平方向に設けられている。
実施形態４では、図６（Ｃ）に示すように、大小の幅の棚部材１０が使用される。さらに、通常の水平方向の棚板１０４が、前後の固定だぼ杆上に載置又は係合されて設けられている。
【００４８】
実施形態４の棚家具では、大小の幅の棚部材１０がその角度を可変として、及び通常の水平方向の棚板１０４が、併用して組み合わせて用いられている。
【００４９】
実施形態２乃至４において実施形態１に対応する構成部分には、同等の参照符号を付して、その詳細な説明は省略した。
【符号の説明】
【００５０】
１    棚家具本体
２    側板
３    中間仕切板
４    だぼ穴
５    固定だぼ杆
１０  棚部材
１１  棚板本体
１２  受け片
１３  だぼ具
１４  外筒部
１５  移動だぼ杆
１６  スリット，１６ａ，１６ｂ  係合凹部
１７  把手部
１８  バネ材
１９  係止具
２０  バンド
２１  取付片部
２２  固定具
１０１  棚家具本体
１０２  固定棚
１０３  可動棚
１０４  棚板
【図１】
0006373895.tif 000002
【図２】
0006373895.tif 000003
【図３】
0006373895.tif 000004
【図４】
0006373895.tif 000005
【図５】
0006373895.tif 000006
【図６】
0006373895.tif 000007